(57)【要約】【課題】  移動天体を簡単に案内する装置、方法および、プログラムを提供する。【解決手段】  端末装置１０は、天球画像１００を表示するディスプレイ１２と、ユーザからの入力操作を受け付けるタッチパネル１３と、ディスプレイ１２及びタッチパネル１３を制御するＣＰＵ５１とを備える。ＣＰＵ５１は、タッチパネル１３からのユーザの入力操作に基づき時刻情報を連続的に変化させ、変化させた時刻情報に基づき、ディスプレイ１２に、天球画像１００上で移動天体１０６を連続的に移動させながら表示するとともに、変化させた時刻情報に基づき、ディスプレイ１２に、移動天体１０６の食の状態を画像として連続的に可変しながら表示する制御を行う。【選択図】  図４
2016038401.tif 000002
【特許請求の範囲】
【請求項１】
天球画像を表示する表示部と、ユーザからの入力操作を受け付ける入力部と、前記表示部及び前記入力部を制御する制御部とを備える天体案内装置であって、
前記制御部は、
前記入力部からのユーザの入力操作により時刻情報を連続的に変化させ、
前記変化させた時刻情報に基づき、前記表示部に、前記天球画像上で前記移動天体を連続的に移動させながら表示するとともに、前記変化させた時刻情報に基づき、前記表示部に、前記移動天体の食の状態を画像として連続的に可変しながら表示する制御を行う
天体案内装置。
【請求項２】
前記制御部は、
前記表示部に、前記天球画像上に食の開始から食の終了まで前記移動天体が移動する軌道線を合わせて表示する制御を行う
請求項１に記載の天体案内装置。
【請求項３】
前記軌道線は、食の開始前後のそれぞれ所定時間だけ、前記移動天体が移動する軌道を付加した線である
請求項２に記載の天体案内装置。
【請求項４】
前記制御部は、
前記入力部への入力操作に基づき、前記天球画像の拡大縮小する処理を行い、
前記天球画像の拡大縮小を行う際に、同じ拡大率で移動天体の大きさを拡大縮小する処理を行う第１のモードと、拡大率によらず移動天体の大きさを所定の大きさに固定する処理を行う第２のモードとを有する
請求項１ないし３のいずれか１に記載の天体案内装置。
【請求項５】
前記第１のモード及び前記第２のモードは、前記入力部へのユーザ操作に基づいて変更可能であることを特徴とする請求項４に記載の天体案内装置。
【請求項６】
前記第１のモード及び前記第２のモードは、前記天球画像の拡大率が所定の値以下になった場合に、第１のモードから第２のモードに自動的に切り替わる
請求項４に記載の天体案内装置。
【請求項７】
前記第１のモード及び前記第２のモードは、前記天球画像の拡大率が所定の値を超えた場合に、第２のモードから第１のモードに自動的に切り替わる
請求項４または６に記載の天体案内装置。
【請求項８】
前記制御部は、
地球上の緯度、経度の情報を含む観測地を設定し、
設定した観測地の緯度、経度の情報と、前記時刻情報に基づき、前記天球画像を生成するとともに、前記移動天体の食の状態を計算する処理を行う
請求項１に記載の天体案内装置。
【請求項９】
天体追尾装置と接続され、前記表示部に表示された移動天体を追尾する請求項１ないし８の何れか１に記載の天体案内装置。
【請求項１０】
天球画像を表示する表示部と、ユーザからの入力操作を受け付ける入力部とを用いる天体案内方法において、
前記入力部からのユーザの入力操作により時刻情報を連続的に変化させるステップと、
前記変化させた時刻情報に基づき、移動天体を含む天球画像を生成するステップと、
前記天球画像上で前記移動天体を連続的に移動させながら表示するとともに、前記変化させた時刻情報に基づき、前記表示部に、前記移動天体の食の状態を画像として連続的に可変しながら表示するステップと
からなる天体案内方法。
【請求項１１】
コンピュータに、
入力部からのユーザの入力操作により時刻情報を連続的に変化させる処理と、
前記変化させた時刻情報に基づき、移動天体を含む天球画像を生成する処理と、
前記天球画像上で前記移動天体を連続的に移動させながら表示部に表示するとともに、前記変化させた時刻情報に基づき、前記表示部に前記移動天体の食の状態を画像として連続的に可変しながら表示する処理と
を実行させるためのプログラム。
【発明の詳細な説明】
【技術分野】
【０００１】
本発明は、天体案内を行う装置、方法、およびプログラムの技術に関する。
【背景技術】
【０００２】
近年、天体案内装置としては、画像表示ディスプレイを備える情報携帯端末によって現在位置および現在時刻に基づき、ユーザが現在位置で見ることができる星空をいわゆる天球画像として画像表示ディスプレイに表示するものが提案されている。
【０００３】
たとえば、特許文献１および特許文献２には、日時情報取得部により取得された日時情報と位置情報取得部により取得された位置情報とに基づいて、天体または天体群から、日時情報および位置情報が示す日時および観測位置において使用者に視認され得る天体または天体群の候補を抽出することが記載されている。
【先行技術文献】
【特許文献】
【０００４】
【特許文献１】特開２０１０−２６６８１７号公報
【特許文献２】特開２０１０−２６６８１８号公報
【発明の概要】
【発明が解決しようとする課題】
【０００５】
しかしながら、特許文献１および特許文献２に記載の技術では、天球上における見かけの移動速度が大きく、見かけの大きさである視角が大きな月等の天体の時間変化を連続的に簡単に視覚的に知ることが難しいといった課題があった。
【０００６】
また、特に天文に詳しくない観測者にとっては、例えば大きな天体ショーである月食、日食等があることを知っていたとしても、いつ、どの位置にどのように見えるかを簡単に知ることは難しいといった課題があった。
【０００７】
なお、食とは、ある天体が別の天体の動きによって隠される天文現象である。大きく分けて、日食のように天体と観測者の視線上を別の天体が通る掩蔽と、月食のように太陽と天体との間を別の天体が通る影による食がある。太陽の掩蔽が観測されるとき、観測者のいる天体を外から見ると影による食が起こっている。また、隠すほうの天体または影が隠されるほうに比べ極端に視角が小さい場合は通過という。
【０００８】
本発明はかかる課題に鑑みてなされたものであり、その目的は、食が発生する移動天体の時間変化を連続的に視覚的に知ることができ、かつ、現在の日時では見ることができない移動天体であっても簡単に食の状態を表示することができる天体案内装置、天体案内方法、および、プログラムを提供することにある。
【課題を解決するための手段】
【０００９】
本発明のある態様は、天体案内装置に関する。この天体案内装置は、天球画像を表示する表示部と、ユーザからの入力操作を受け付ける入力部と、表示部及び入力部を制御する制御部とを備える天体案内装置であって、制御部は、入力部からのユーザの入力操作により時刻情報を連続的に変化させ、変化させた時刻情報に基づき、表示部に、天球画像上で移動天体を連続的に移動させながら表示するとともに、変化させた時刻情報に基づき、表示部に、移動天体の食の状態を画像として連続的に可変しながら表示する制御を行うものである。
【００１０】
このような態様によると、入力部へユーザが入力操作するだけで時刻情報が連続的に変化し、移動天体が天球画像上を移動するとともに食の状態を画像として提供することができる。
【００１１】
本発明のある態様は、天体案内方法に関する。この天体案内方法は、入力部からのユーザの入力操作により時刻情報を連続的に変化させるステップと、変化させた時刻情報に基づき、移動天体を含む天球画像を生成するステップと、表示部に天球画像上で移動天体を連続的に移動させながら表示するとともに、変化させた時刻情報に基づき、表示部に、移動天体の食の状態を画像として連続的に可変しながら表示するステップとからなるものである。
【００１２】
このような態様によると、入力部へユーザが入力操作するだけで時刻情報が連続的に変化し、移動天体が天球画像上を移動するとともに食の状態を画像として提供することができる。
【００１３】
本発明のある態様は、コンピュータに実行させるためのプログラムに関する。このプログラムは、コンピュータに、入力部からのユーザの入力操作により時刻情報を連続的に変化させる処理と、変化させた時刻情報に基づき、移動天体を含む天球画像を生成する処理と、天球画像上で移動天体を連続的に移動させながら表示部に表示するとともに、変化させた時刻情報に基づき、表示部に移動天体の食の状態を画像として連続的に可変しながら表示する処理とを実行させるものである。
【００１４】
このような態様によると、入力部へユーザが入力操作するだけで時刻情報が連続的に変化し、移動天体が天球画像上を移動するとともに食の状態を画像として提供することができる。
【発明の効果】
【００１５】
本発明によると、入力部へユーザが入力操作するだけで、移動天体の時間変化を連続的に視覚的に知ることができ、かつ、現在の日時では見ることができない移動天体であっても簡単に食の状態を画像として視認することができる。
【図面の簡単な説明】
【００１６】
【図１】図１は、端末装置とネットワークおよびサーバ装置を示す図である。
【図２】図２は、端末装置の外観を示す図である。
【図３】図３は、端末装置の内部構成を説明する図である。
【図４】図４は、端末装置の表示パネルに表示される天球画像を説明する図である。
【図５】図５は、天球画像中の方位補助画像を説明する図である。
【図６】図６は、移動天体のイベントを選択するウインドウを説明する図である。
【図７】図７は、観測地を設定する観測地設定画面を説明する図である。
【図８】図８は、端末装置の表示パネルに表示される天球画像を説明する他の図である。
【図９】図９は、端末装置の表示パネルに表示される天球画像を説明する他の図である。
【図１０】図１０は、端末装置の表示パネルに表示される天球画像を説明する他の図である。
【図１１】図１１は、端末装置の表示パネルに表示される天球画像を説明する他の図である。
【図１２】図１２は、端末装置の表示パネルに表示される天球画像を説明する他の図である。
【図１３】図１３は、端末装置の表示パネルに表示される天球画像を説明する他の図である。
【図１４】図１４は、プログラム処理を説明するフローチャートである。
【図１５】図１５は、プログラム処理を説明するフローチャートである。
【図１６】図１６は、プログラム処理を説明するフローチャートである。
【図１７】図１７は、望遠鏡システムを示す図である。
【発明を実施するための形態】
【００１７】
以下、本発明を天体案内装置として携帯情報端末装置に適用した例を用いて説明する。なお、本発明における天体案内装置としては、携帯情報端末装置に限られず、本発明に必要な機能を備えた端末装置を広く含むものとすることは言うまでもない。
【００１８】
［ネットワーク構成］
まず、携帯情報端末装置について図１を用いて簡単に説明する。端末装置１０は、通信機能を有しており、インターネット等の無線または有線のネットワーク２０を介して、各種のサーバ装置３０に接続されている。端末装置１０は、図１に示すように、端末装置１０ａ，１０ｂ，・・・，１０ｃのように複数台が、ネットワーク２０を介してサーバ装置３０に接続することが可能とされている。以下では、端末装置１０ａ，１０ｂ，・・・，１０ｃを端末装置１０として便宜上１台の装置として説明を行う。
【００１９】
端末装置１０は、サーバ装置３０から各種サービスや、アプリケーションプログラムの配信を受け、データやプログラムのダウンロードが可能とされている。以下で、本発明の例を説明する際には、端末装置１０にアプリケーションプログラムがダウンロードされ、これを実行する形で説明を進めるが、ダウンロードしたアプリケーションプログラムに限られず、端末装置１０にあらかじめ記憶されているプログラムで実行するようにしてもよく、ハードウェア処理にて実現するようにしてもよいことは言うまでもない。
【００２０】
［ハード構成］
つぎに、端末装置１０の外観について図２を用いて簡単に説明する。端末装置１０は、図２に示すように、筐体１１と、ディスプレイ１２と、タッチパネル１３と、ハードウェアキー１４と、カメラ１５等を備えている。
【００２１】
つぎに、端末装置１０の内部構成について図３を用いて簡単に説明する。端末装置１０は、図３に示すように、ＣＰＵ（Ｃｅｎｔｒａｌ  Ｐｒｏｃｅｓｓｉｎｇ  Ｕｎｉｔ）５１と、内部メモリ５２と、外部メモリ５３と、方位センサ５４と、ＧＰＳ（Ｇｌｏｂａｌ  Ｐｏｓｉｔｉｏｎｉｎｇ  Ｓｙｓｙｔｅｍ）センサ５５と、加速度センサ５６と、無線通信部５７と、図２で説明したディスプレイ１２と、タッチパネル１３と、ハードウェアキー１４と、カメラ１５とを備えており、これらがシステムバスを通じて接続されている。
【００２２】
つぎに、端末装置１０の各部について詳細な説明を行う。
【００２３】
筐体１１は、端末装置１０の外殻を構成し、各部を内蔵するケースであり、樹脂、金属、カーボンファイバ等の各種部材で形成されている。
【００２４】
ディスプレイ１２は、端末装置１０の表示部を構成し、文字や画像を表示することが可能とされている。ディスプレイ１２としては、液晶ディスプレイや有機ＥＬ（Ｅｌｅｃｔｒｏ  Ｌｕｍｉｎｅｓｃｅｎｃｅ）ディスプレイ等を用いることができる。ディスプレイ１２には、後述する天球画像を表示するために好適な各種デバイスを用いることができることは言うまでもない。
【００２５】
タッチパネル１３は、端末装置１０の入力部の一つを構成し、ディスプレイ１２に重ねあわされて形成され、ユーザからの入力操作を受け付けることが可能とされている。タッチパネル１３は、マトリクス状の透明電極を重ね合わせた構造とされており、電極間の電気抵抗や静電容量に基づき、ユーザの押圧操作、タッチ操作、ホバリング操作（非接触操作）等により、ディスプレイ１２に表示された画像をユーザの指等でなぞる操作を行うことで、ユーザからの入力操作を検出することができる。
【００２６】
なお、タッチパネルの操作としては、タップ操作、スライド操作、フリック操作、ピンチイン／アウト操作、マルチタッチ操作等の各種の入力操作を用いることができる。本実施の形態における操作として、詳細は後述するが、選択操作には、タップ操作を用い、時刻変化操作には、スライド操作を用い、拡大縮小操作には、ピンチイン／アウト操作を用いるものとする。なお、操作方法は、適宜設定することができるが、ユーザの直感的な操作を可能とするために、上述の操作例が最もの好ましい。なお、操作方法については、汎用技術であるため、詳細な説明を割愛する。
【００２７】
ハードウェアキー１４は、端末装置１０の入力部の一つを構成し、押圧操作等のユーザからの入力操作を受け付けることが可能とされている。ハードウェアキー１４は、タッチパネル１３と異なる入力操作態様で用いられ、モードの切り替え操作、電源操作等、単一の操作に機能を割り振り、アプリケーションプログラムごとに使い分けられる。
【００２８】
カメラ１５は、端末装置１０の入力部の一つを構成し、写真を撮像することが可能とされている。カメラ１５は、アレイ状のＣＣＤ（Ｃｈａｒｇｅ  Ｃｏｕｐｌｅｄ  Ｄｅｖｉｃｅ）センサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等とレンズにより構成されているが、汎用的な技術であるため詳細な説明を割愛する。カメラ１５は、ユーザ自身を撮像することにより、ユーザの動作をとらえる、いわゆるモーションキャプチャ技術により、ユーザの入力操作を受け付けることも可能とされている。
【００２９】
ＣＰＵ５１は、端末装置１０の制御部の一つを構成し、図示しない他のコントローラとともに、端末装置１０内部の各構成要素を制御する制御部である。ＣＰＵ５１は、内部バスを通じて、内部メモリ５２、外部メモリ５３、方位センサ５４、ＧＰＳセンサ５５、加速度センサ５６、無線通信部５７、ディスプレイ１２、タッチパネル１３、ハードウェアキー１４、カメラ１５等と接続されている。
【００３０】
ＣＰＵ５１は、内部メモリ５２または外部メモリ５３に記憶されたアプリケーションプログラムに基づき、各構成要素を適宜制御することができ、本発明の例では、天球画像を生成し表示する処理を行うことができる。
【００３１】
内部メモリ５２および外部メモリ５３は、端末装置１０の記憶部を構成し、例えば不揮発性の半導体メモリによって構成され、各種のアプリケーションプログラムやデータを記憶可能とされている。特に内部メモリ５２は、端末装置１０が内蔵する記憶部であり、オペレーティングシステムやコアプログラムが格納されている。外部メモリ５３は、端末装置１０から着脱可能とされており、アプリケーションプログラムやデータを外部装置によって記憶したものを端末装置１０に装着して用いるようにしてもよい。本発明の例においては、内部メモリ５２および外部メモリ５３について、特にアプリケーションプログラムやデータの格納先を特定しないが、システムに応じて適宜使い分けるようにすればよいことは言うまでもない。
【００３２】
方位センサ５４は、端末装置１０の方位を検出する構成であり、例えば、地磁気センサやジャイロセンサを用いることが可能である。方位センサ５４は、後述するように、ディスプレイ１２に天球画像を表示する際に、検出した方位情報を付加したり、または、天球画像の生成、移動天体の軌道演算等に用いることができる。
【００３３】
ＧＰＳセンサ５５は、端末装置１０の地球上の現在位置を検出する構成であり、ＧＰＳ衛星からの電波を複数受信することで三角測量を行い端末装置１０の緯度、経度を検出することができる。ＧＰＳセンサ５５は、後述するように、ディスプレイ１２に天球画像を表示する際に、検出した位置情報を付加したり、または、天球画像の生成、移動天体の軌道演算等に用いることができる。
【００３４】
加速度センサ５６は、端末装置１０の傾きを検出する構成であり、光学式、機械式、半導体式等の各方式を用いることができる。本発明の例では、より小型簡便な構成である半導体式を用いることが好ましい。
【００３５】
無線通信部５７は、端末装置１０と図示しない無線基地局と通信を行う構成であり、送受信アンテナ、変調復調回路等により構成されている。無線通信部５７は、無線基地局と通信を行い、ネットワーク２０を介して端末装置１０とサーバ装置３０との間で通信を可能としている。なお、無線通信部５７は、図示しない無線基地局と通信を行うことから、無線基地局の位置情報またはセル情報に基づき、端末装置１０の位置を間接的に検出することが可能であり、ＧＰＳセンサ５５の情報を用いることができない場合に、代替情報として位置情報を得ることも可能である。本発明の例では、ＧＰＳセンサ５５を省いた構成を説明していないが、ＧＰＳセンサ５５を省略可能であることは言うまでもない。
【００３６】
なお、本構成では、図示、説明を省略しているが、ネットワーク接続方式は無線方式に限定されず、ネットワーク接続を行うために有線方式を妨げるものではない。従って、無線通信部５７以外にケーブル直結によるネットワーク接続を行う構成を備えるようにしても良いことは言うまでもない。
【００３７】
なお、端末装置１０は、方位センサ５４、ＧＰＳセンサ５５、加速度センサ５６の情報に基づき、端末装置１０の方位、位置、傾きを検出することができる。天球画像１００を演算する際の現在地情報として用いることができ、正確な天球画像１００を演算描写及び表示することが可能となる。
【００３８】
［ディスプレイ表示］
つぎに、端末装置１０のディスプレイ１２に表示される画像等に基づき、各機能及び動作を説明する。
【００３９】
端末装置１０は、タッチパネル１３等への入力操作に基づき、ＣＰＵ５１の制御によって、制御アプリケーションプログラムを起動し、図４に示すように、ディスプレイ１２に天球画像１００を表示する。
【００４０】
天球画像１００には、地平線１０１、方位１０２、赤経線１０３、赤緯線１０４、方位補助画像１０５、移動天体（月）１０６、星座像１０７、天体画像１１０、食情報ウィンドウ１１５、軌道線１２０、食中軌道線１２１、時刻スライダーボタン１３０、スライダー線１３１、時刻情報１３２、移動天体アイコン１４０、観測地設定アイコン１４５、メニューボタン１５０、図示しない恒星、惑星、メシエ天体等が含まれる。
【００４１】
ここで、本実施の形態において、天球とは、地球から見える天体の方向を表すために無限遠の距離にある仮想の球面を指すものとする。また、赤経、赤緯については、天球上の緯度、経度を指すものとする。天球画像１００は、天球上に上述した各天体および方位等の情報を表示した星図を展開した画像である。
【００４２】
地平線１０１は、天球画像１００のうち、ユーザが地上に見ることができる天球の部分と、地平線の下で見えなくなる天球の部分の境界を表す線である。本発明の例においては、ユーザが見ることができない地平線の下の領域についても情報を付加している。
【００４３】
方位１０２は、地平線１０１上の方位を示す文字、図形また記号である。本発明の例においては、漢字により「東」「西」「南」「北」とともに、その間を補完する「南西」「南東」「北西」「北東」を用いているが、アルファベット「Ｗ」「Ｅ」「Ｓ」「Ｎ」等の表記を用いてもよいことは言うまでもない。端末装置１０では、方位１０２の情報により天球画像１００の向きがユーザにとって把握しやすくしている。
【００４４】
赤経線１０３、赤緯線１０４は、上述で定義したが、天球上の赤経、赤緯をわかりやすく表示する線であり、必要に応じて表示・非表示を切り替えられるようにしてもよい。
【００４５】
方位補助画像１０５は、天球画像１００が実際の天球上のどの部分に対応するかを説明するための補助画像であり、図５に示すように、現在の天球画像１００の位置を示すボックス３０１と、天頂３０２と、地平線３０３と、方位３０４とが含まれている。方位３０４については、方位補助画像１０５のサイズが天球画像１００と比較して小さいため、漢字表記にするとつぶれてしまう恐れがあることからアルファベット表記としている。なお、方位３０４は、表示パネル１２の解像度が許す限り、方位１０２と同様に、漢字表記や記号を用いることもできることは言うまでもない。
【００４６】
ここで、表示パネル１２では、表示することができる物理的なサイズが有限であるため、天球全体を表現することは困難であり、天球画像１００は、天球のごく一部の領域を表示するにとどまる。したがって、方位補助画像１０５は、より広域の方位情報を提供し、移動天体の食がどの方位でなされるのか、ユーザからの確認を容易とするように設けられている。
【００４７】
ここで、天頂は、天球上において観測者の真上に当たる点を指す。より正確には、地平線からの仰角９０度の位置を示す点である。天頂３０２は、時刻情報に基づき、天球上のどの位置が天頂であるかを示す目印であり、広範囲の天球上で、天球画像１００がどの領域に位置するかを容易に視認することができるように表示されている。
【００４８】
また、方位補助画像１０５は、表示される位置は、天球画像１００内で移動せず、固定表示するようにしている。本発明の例においては、方位補助画像１０５の表示位置を、図中、天球画像１００の右上方に固定している。なお、方位補助画像１０５は、移動天体１０６の軌道によっては、移動天体１０６の表示画像と重ならない範囲で、他の領域に表示するようにしてもよいし、ユーザの任意の位置に移動することができるようにしてもよい。
【００４９】
移動天体１０６は、天球上を短時間で移動する食が発生する天体であり、例えば、月、太陽、彗星、惑星、小惑星、衛星、人工衛星等である。本発明の例では、特に移動天体１０６が食の発生する天体の代表である月として説明を進める。
【００５０】
なお、移動天体１０６は、月である場合に、太陽から見て地球の本影に入る場合には、食となる。月が地球の本影に部分的に隠される場合を部分月食と呼び、月が地球の本影に完全に隠される場合を皆既月食と呼ぶ。以下では、単に部分食、皆既食とも記載する。
【００５１】
地球、太陽、月は、相互に運動する天体であるため、食が発生すると、月面上の影の部分の形も時間変化とともに連続的に変化する。すなわち、光源と、遮蔽物、投影面が相対的に動くために影の形が変化する。したがって、移動天体１０６の表示は、移動天体１０６と太陽および地球との相対位置に応じて、食の状態が短時間で連続的に変化する。食の状態の変化については、詳細を後述する。
【００５２】
移動天体１０６は、実際の天球上の見かけ上の大きさと一致するように、天球画像１００上のサイズが設定された表示画像として表される。ただし、移動天体１０６は、詳細を後述するが、天球上の見た目の大きさと一致させない処理を行う場合がある。
【００５３】
移動天体１０６は、後述するユーザのタッチパネル１３の操作入力に基づき時刻情報が変化した場合、軌道線１２０に沿ってその位置を連続的に変化させるように表示される。また、移動天体１０６は、ユーザのタッチパネル１３の操作入力に基づき時刻情報が変化した場合、食中軌道線１２１に沿ってその位置を連続的に変化させる間は、食の状態、すなわち満ち欠けが視認できるように表示画像にも満ち欠けが反映される。
【００５４】
ここで、移動天体１０６の表示画像は、時刻情報に基づき、ＣＰＵ５１等によりリアルタイムに食の状態を演算して影の部分を反映するようにしてもよいし、食の状態をあらかじめ演算して生成しておいたイメージデータを所定の時間間隔で複数用意しておき、これを用いるようにしてもよい。前者は、イメージデータを格納しておくメモリ領域を確保しなくてよいというメリットがあり、メモリ領域の小さい、携帯情報端末装置においては前者を用いることが好ましい。
【００５５】
なお、移動天体１０６は、地球との相対距離によって見かけ上の大きさが変化する。したがって、移動天体１０６の表示画像は、ＣＰＵ５１等によりそのサイズを計算して実際の見かけ上の大きさと一致するようにしてもよい。特に、移動天体１０６は、表示画像のサイズを、所定の法則に従い固定するモードと可変するモードを備えるようにしてもよい。詳細な説明は後述する。
【００５６】
つぎに、星座線１０７は、天球画像１００上の図示しない恒星等を線で結び星座の形を視認しやすくするために付加する線図である。星座線１０７は、ユーザに星座を特定しやすくするとともに、ユーザが星座に基づき移動天体１０６の位置の把握を容易とすることができるような効果をそうするものである。
【００５７】
つぎに、メシエ天体は、星雲，星団，銀河の等の主要天体をカタログ化したものであり、Ｍ１，・・・，Ｍ１０のようにナンバリングされているものを示すものである。特にメシエ天体は、他の天体と比較して特徴的な広がりを持つため視認されやすく、メシエ天体を天球画像１００に表示することで、移動天体１０６の位置把握を容易とすることができる。
【００５８】
つぎに、惑星は、水星、金星、木星、土星、天王星、海王星、冥王星等の太陽系に属する惑星を示すものである。特に惑星は、他の天体と比較して明るいため視認されやすく、惑星を天球画像１００に表示することで、星空の位置把握を容易とし、移動天体１０６の位置把握を容易とすることができる。
【００５９】
なお、図示しない恒星、惑星、メシエ天体等を、天球画像１００に表示してもよいが、図４の情報が煩雑となるため図４および以後の図の天球画像１００の説明において表示を省略する。したがって、本発明の例を説明するうえで、図４および以後の図において、天球画像１００において恒星、惑星、メシエ天体等が表示されているものとして取り扱うこととする。
【００６０】
つぎに、天体画像１１０は、移動天体１０６が月である場合には、地球から見た月面の画像であり、月面上のクレータや海等を詳細に表示する画像である。
【００６１】
天体画像１１０は、移動天体１０６の表示画像と比較して大きく、更に表示される位置は、天球画像１００内で移動せず、食の状態を表す画像でもある。本発明の例においては、天体画像１１０の表示位置を、図中、天球画像１００の左上方に固定している。なお、天体画像１１０は、移動天体１０６の軌道によっては、移動天体１０６の表示画像と重ならない範囲で、他の領域に表示するようにしてもよいし、ユーザの任意の位置に移動することができるようにしてもよい。
【００６２】
天体画像１１０を表示することにより、ユーザの視覚に訴えることが可能となり、食のイベントの臨場感を得ることができる。
【００６３】
天体画像１１０は、ユーザのタッチパネル１３への操作入力に基づき時刻情報が変化すると、地球の本影の部分を合成処理によって陰影が付加され、かつ、見かけ上の向きが正しくなるように回転処理が行われて表示される。これは、例えば月が天球上を移動する際に見かけ上の向きがその軌道に合わせて回転することを再現するものである。
【００６４】
したがって、天体画像１１０がユーザのタッチパネル１３への操作入力に基づき時刻情報が変化すると、実際の皆既月食等を更にリアルに再現することが可能となる。
【００６５】
なお、天体画像１１０は、地球上から撮影した月面写真のイメージデータや衛星写真による精巧な月面写真のイメージデータを用いてもよいが、精度を下げて、ディフォルメした月面画像を用いてもよい。ディフォルメした月面画像は、臨場感よりも、教育の観点で、幼児や児童に理解を容易とすることを優先する場合に用いられる。天体画像１１０については、これらを適宜選択することができるようにしてもよい。
【００６６】
つぎに、食情報ウィンドウ１１５は、移動天体１０６の食に関する情報を提示する補助画像である。
【００６７】
ここで、移動天体１０６が、月である場合に、月食の開始から終了するまでの間の軌道やその時刻をユーザに簡単に認識してもらうため、食に関する情報を提供するために食情報ウィンドウ１１５を表示することが好ましい。
【００６８】
食情報ウィンドウ１１５は、皆既月食の場合、部分食の開始（第１接触）から月が欠け始め、地球の本影に完全に月がおおわれる皆既食の開始（第２接触）、最大食、そして皆既食の終了（第３接触）、および部分食の終了（第４接触）の時刻情報を含んでいる。なお、天球画像１００の余白部分（情報が表示されない領域）が許す限り、他の情報、例えば、月の天球上の座標等を表示するようにしてもよい。
【００６９】
つぎに、軌道線１２０は、移動天体１０６が月である場合、月食前後の移動天体１０６の軌道を分かりやすくするために、移動天体等の軌道計算に基づき示される線である。
【００７０】
また、食中軌道線１２１は、軌道線１２０上で、特に食が発生している領域を移動天体等の軌道計算に基づき示す線である。
【００７１】
軌道線１２０は、食の開始の所定時間前から食が終了後の所定時間までの間、移動天体１０６が移動する軌道を示すものである。従って、軌道線１２０は、食中軌道線１２１よりも長さが長く表示される。
【００７２】
食中軌道線１２１は、軌道線１２０と重畳する領域がある。そのため、食中軌道線１２１は、軌道線１２０よりも強調して表示する必要がある。より、食中を強調して、ユーザに認識してもらうためである。
【００７３】
図４において、食中軌道線１２１は、軌道線１２０よりも太く表示している。食中軌道線１２１を太く表示することで軌道線１２０よりも強調表示することができる。なお、強調表示をする方法は、これに限定されず、色調の差や、輝度の差によって明示するようにしてもよい。たとえば、食中軌道線１２１を濃く、軌道線１２０を薄く表示することによってもユーザにとってわかりやすい情報を提供することが可能となる。また、食中軌道線１２１を明るく、軌道線１２０を暗く表示することによってもユーザにとってわかりやすい情報を提供することが可能となる。
【００７４】
つぎに、時刻スライダーボタン１３０は、ユーザのタッチパネル１３へのスライド操作によって、移動するソフトウェアボタンである。
【００７５】
スライド線１３１は、時刻スライダーボタン１３０の移動範囲を示す線であり、軌道線１２０と対応する時間軸の時刻情報が対応付けられている。
【００７６】
時刻情報１３２は、時刻スライダーボタン１３０のスライド線１３１上の位置に対応する時刻情報をテキスト表示したものである。
【００７７】
時刻情報１３２は、時刻スライダーボタン１３０のスライド操作により、連続的に変化し、この時刻情報に基づいて、移動天体１０６の位置、食の状態等を含め、軌道計算を行い、天球画像１００を生成する基準時刻となる。
【００７８】
移動天体アイコン１４０は、ユーザのタッチパネル１３へのタップ操作によって、移動天体１０６のイベントを選択するメニューを呼び出すソフトウェアボタンである。
【００７９】
ユーザのタッチパネル１３へのタップ操作によって、移動天体アイコン１４０がタップ操作されると、図６に示すように、端末装置１０は、天球画像１００の略中央部にイベント設定メニュー１４１を表示する。イベント設定メニュー１４１には、直近で発生した食のイベントや直近で発生する未来の食のイベントを列挙されている。現在選択されているイベントについては、チェックマーク１４２が付されており、ユーザのタッチパネル１３へのタップ操作によって、他のイベント日時に変更することが可能となっている。イベントが変更された場合には、チェックマーク１４２も移動することとなる。
【００８０】
また、イベント設定メニュー１４１には、移動天体１０６の食の表示を終了する終了メニュー１４３も合わせて表示されており、ユーザのタッチパネル１３へのタップ操作によって、移動天体の食の表示を終了することができる。
【００８１】
観測地設定アイコン１４５は、ユーザのタッチパネル１３へのタップ操作によって、移動天体１０６のイベントを観測する場所を設定することができるメニューを呼び出すソフトウェアボタンである。
【００８２】
ユーザのタッチパネル１３へのタップ操作によって、観測地設定アイコン１４５がタップ操作されると、図７に示すように、端末装置１０は、観測地設定画面１６０を表示する。観測地設定画面１６０は、地図情報１６１が表示される領域と、設定コンソール１６２が表示される領域とからなる。
【００８３】
地図情報１６１は、ネットワーク２０を経由してサーバ装置３０から提供される地図イメージ、国、都市、その他の地図に関連する情報を含む。なお、地図情報１６１は、端末装置１０の内部メモリ５２や外部メモリ５３にあらかじめインストールされたものを用いてもよい。
【００８４】
地図情報１６１には、現在設定されている観測地や、過去に設定した観測地、その他、代表的な都市を、ピン止めしたイメージで表示するマーカーピン１７２を付加するようにしている。
【００８５】
なお、地図情報１６１は、ユーザのタッチパネル１３へのピンチイン／アウト操作によって拡大縮小することができるものとする。
【００８６】
設定コンソール１６２には、設定されている観測地のタイムゾーン１６３、設定されている観測地名称１６４、観測地を追加する追加ボタン１６５、観測地を選択する選択ボタン１６６、設定した観測地を削除する削除ボタン１６７、タイムゾーンを変更する変更ボタン１６８、端末装置１６９の現在地を選択する現在地ボタン１６９、選択した観測地を決定する決定ボタン１７０、天球画像１００を表示する画面に戻るための戻るボタン１７１とを有している。
【００８７】
端末装置１０は、設定コンソール１６２の各ボタン等への入力操作を、タッチパネル１３へのタップ操作により受け付け、各ボタンに割り振られた処理を行う。
【００８８】
このように端末装置１０は、ＧＰＳ５５等を用いて検出した端末装置１０の現在地によらず、ユーザが自由に観測地を設定することができる。端末装置１０は、観測地が設定された場合に、この観測地情報に基づき、移動天体１０６等の軌道計算を行うとともに、食の状態を計算し、移動天体１０６の表示画像及び天体画像１１０に食の状態がわかるように影を加える処理を行う。
【００８９】
これにより、端末装置１０では、ユーザが自由に設定した緯度経度で移動天体１０６の食の状態を表示することが出来るようになる。端末装置１０は、世界中どの場所でも対象の移動天体１０６の食の状態がどのように見えるのか予め知ることが出来るため、遠隔地で観測を予定しているユーザにとっては観測計画を立てるにあたり、参考とすることができる。
【００９０】
つぎに、メニューボタン１５０は、プログラムの各種設定のメニューを呼び出したり、ヘルプ機能等を呼び出すためのソフトウェアボタンである。
【００９１】
メニューボタン１５０は、タッチパネル１３にユーザがタップ操作を行うことで、これらボタンが押下されたと判断し、設定メニューや、ヘルプメニューを天球画像１００に替える、もしくは重畳して表示パネル１２に表示する処理のトリガーとなる。なお、設定メニューやヘルプメニューについては、本発明の各部に適宜適用できるものとして説明を省略する。
【００９２】
メニューボタン１５０は、図４およびその他の図面において、２個示しているが、必要に応じて増減可能であることは言うまでもない。
【００９３】
以上のように構成された、端末装置１０は、各種ハードウェア構成とソフトウェア構成とを組み合わせて、ユーザによる時刻スライダーボタン１３０のスライド操作によって、時刻情報を連続的に変化させながら、移動天体１０６等を天球画像１００上で移動させながら表示するとともに、移動天体１０６の食の状態を表示画像として表示することで、移動天体１０６の食の状態をリアルに視覚的に提供することが可能となる。
【００９４】
また、端末装置１０は、各種ハードウェア構成とソフトウェア構成とを組み合わせて、ユーザによる移動天体アイコン１４０のタップ操作によって、イベント設定メニュー１４１を表示し、過去及び未来の直近の食のイベントを自動的に提示することができる。このため、ユーザに複雑な入力を要さずに、移動天体の食のイベントを簡単に選択してもらうことが可能となる。
【００９５】
［移動天体の選択］
つぎに、上述する天球画像１００を提示するまでの処理の一例を具体的に説明する。
【００９６】
まず、端末装置１０は、図６に示すように、ＣＰＵ５１の制御により、移動天体１０６として例えば、月食が発生する時刻（年月日を含む）を列挙したイベント設定メニュー１４１を表示パネル１２に表示する。月食の候補は、あらかじめ内部メモリ５２または外部メモリ５３に記憶しておいてもよいし、サーバ装置３０から適宜取得するようにしてもよい。より好ましくは、現在日時に近い日時においてみることのできる月食や、過去、未来の月食を抽出してイベント設定メニュー１４１に列挙しディスプレイ１２に表示するようにすることが好ましい。天文の知識に乏しいユーザには、過剰な情報を提示するよりも、直近に見ることができる月食を簡便に提示するほうが、操作が簡便となるからである。
【００９７】
ユーザがタッチパネル１３をタップ操作することにより、イベント設定メニュー１４１に列挙して表示された月食の候補のうち、所望のイベントを選択することで、選択したイベントにチェックマーク１４２を付加して表示し、天球画像１００の生成処理を開始する。
【００９８】
なお、最も直近で発生する月食を自動的に選択するようにしてもよく、この場合は、移動天体のイベントの選択をユーザに要求することは省略できる。ユーザが必要に応じて移動天体アイコン１４０をタップ操作することで、端末装置１０は、イベント設定メニュー１４１をいつでも表示することができるので、天球画像１００の生成、表示処理が開始された後に、ユーザが他のイベントを選択することに不都合はない。
【００９９】
［時刻変化の伴う移動天体の表示］
つぎに、ユーザのタッチパネル１３へのスライド操作により、時刻スライダーボタン１３０が移動操作された場合について、図４，図８乃至図１３を用いて説明する。
【０１００】
まず、端末装置１０の表示パネル１２には、図４に示すように、初期画面が表示されている。ここで、時刻スライダーボタン１３１は、左端に位置する、すなわち、月食の開始の所定時間前の時刻情報に対応する位置にセットされている。時刻スライダーボタン１３１の初期位置については適宜設定可能であるが、食が開始される前の時刻情報に対応する位置が好ましい。
【０１０１】
つまり、端末装置１０は、時刻スライダーボタン１３１のスライド線１３１上の位置に基づく時刻情報に基づき、軌道計算した移動天体１０６等を含む天球画像１００を表示パネル１２に表示する。ここで、時刻スライダーボタン１３１のスライド線１３１上の位置に基づく時刻情報は、時刻情報１３２にとして天球画像１００に含まれている。
【０１０２】
図４に示す状態では、まだ月食が発生していないため、移動天体１０６の表示画像や、天体画像１１０に、地球の本影に係る領域は視認することができない状態である。図４においては、真円に近い月が表示されている。
【０１０３】
一方、図４においては、移動天体１０６の表示画像は、軌道線１２０の端部に位置している。
【０１０４】
つぎに、ユーザがタッチパネル１３を入力操作することで、時刻スライダーボタン１３１が右方向にスライド操作されると、端末装置１０の表示パネル１２には、図８に示すように、初期画面から、時刻スライダーボタン１３１が、右側に移動、すなわち、月食の開始の時間の時刻情報に対応する位置に移動して、表示されている。
【０１０５】
つまり、端末装置１０は、時刻スライダーボタン１３１のスライド線１３１上の位置に基づく時刻情報に基づき、軌道計算した移動天体１０６等を含む天球画像１００を表示パネル１２に表示する。ここで、時刻情報１３２は、図４の時刻より進んだ時刻情報として表示される。
【０１０６】
図８に示す状態では、月食が開始する第１接触が開始したばかりであるため、移動天体１０６の表示画像や、天体画像１１０に、地球の本影に係る領域は視認することができない状態である。図８において、真円に近い月が表示されている。
【０１０７】
一方、図８においては、移動天体１０６の表示画像は、食中軌道線１２１の端部に位置している。
【０１０８】
つぎに、ユーザがタッチパネル１３を入力操作することで、時刻スライダーボタン１３１が更に右方向にスライド操作されると、端末装置１０の表示パネル１２には、図９に示すように、図８で説明した状態から、時刻スライダーボタン１３１が、更に右側に移動、すなわち、月食の開始後の時間の時刻情報に対応する位置に移動して、表示されている。
【０１０９】
つまり、端末装置１０は、時刻スライダーボタン１３１のスライド線１３１上の位置に基づく時刻情報に基づき、軌道計算した移動天体１０６等を含む天球画像１００を表示パネル１２に表示する。ここで、時刻情報１３２は、図８の時刻より進んだ時刻情報として表示される。
【０１１０】
図９に示す状態では、第１接触が開始して所定の時間が経過しているため、移動天体１０６の表示画像や、天体画像１１０に、地球の本影に係る領域を視認することができる。本例においては、図中左下から欠け始めている月が表示されている。
【０１１１】
一方、図９においては、移動天体１０６の表示画像は、食中軌道線１２１上を右上方向に移動している。
【０１１２】
つぎに、ユーザがタッチパネル１３を入力操作することで、時刻スライダーボタン１３１が更に右方向にスライド操作されると、端末装置１０の表示パネル１２には、図１０に示すように、図９で説明した状態から、時刻スライダーボタン１３１が、更に右側に移動、すなわち、皆既食中の時間の時刻情報に対応する位置に移動して、表示されている。
【０１１３】
つまり、端末装置１０は、時刻スライダーボタン１３１のスライド線１３１上の位置に基づく時刻情報に基づき、軌道計算した移動天体１０６等を含む天球画像１００を表示パネル１２に表示する。ここで、時刻情報１３２は、図９の時刻より進んだ時刻情報として表示される。
【０１１４】
図１０に示す状態では、第２接触後の皆既食中であるため、移動天体１０６の表示画像や、天体画像１１０に、地球の本影に係る領域ですべてが覆い隠され、暗い状態である。本例においては、図面上は黒く塗りつぶしているが、実際にはある程度の明るさを持つため暗い灰色で移動天体１０６の表示画像を表し、新月に近い状態で月が表示されている。
【０１１５】
一方、図１０においては、移動天体１０６の表示画像は、食中軌道線１２１の略中央部に移動している。
【０１１６】
つぎに、ユーザがタッチパネル１３を入力操作することで、時刻スライダーボタン１３１が更に右方向にスライド操作されると、端末装置１０の表示パネル１２には、図１１に示すように、図１０で説明した状態から、時刻スライダーボタン１３１が、更に右側に移動、すなわち、皆既食が終わり部分食に入った時間の時刻情報に対応する位置に移動して、表示されている。
【０１１７】
つまり、端末装置１０は、時刻スライダーボタン１３１のスライド線１３１上の位置に基づく時刻情報に基づき、軌道計算した移動天体１０６等を含む天球画像１００を表示パネル１２に表示する。ここで、時刻情報１３２は、図１０の時刻より進んだ時刻情報として表示される。
【０１１８】
図１１に示す状態では、第３接触後の部分食中であるため、移動天体１０６の表示画像や、天体画像１１０に、地球の本影に係る領域が減少し、月の明るい領域が生じた状態である。本例においては、図中左側から明るい月の領域が見えるように表示されている。
【０１１９】
一方、図１１においては、移動天体１０６の表示画像は、食中軌道線１２１の右上方向の途中に移動している。
【０１２０】
つぎに、ユーザがタッチパネル１３を入力操作することで、時刻スライダーボタン１３１が更に右方向にスライド操作されると、端末装置１０の表示パネル１２には、図１２に示すように、図１１で説明した状態から、時刻スライダーボタン１３１が、更に右側に移動、すなわち、月食が終了する時間の時刻情報に対応する位置に移動して、表示されている。
【０１２１】
つまり、端末装置１０は、時刻スライダーボタン１３１のスライド線１３１上の位置に基づく時刻情報に基づき、軌道計算した移動天体１０６等を含む天球画像１００を表示パネル１２に表示する。ここで、時刻情報１３２は、図１１の時刻より進んだ時刻情報として表示される。
【０１２２】
図１２に示す状態では、第４接触後の月食が終わった状態であるため、移動天体１０６の表示画像や、天体画像１１０に、地球の本影に係る領域はなくなり、月の明るい領域部分だけが表示された状態である。
【０１２３】
一方、図１２においては、移動天体１０６の表示画像は、食中軌道線１２１の右上側にある他方の端部に移動している。
【０１２４】
つぎに、ユーザがタッチパネル１３を入力操作することで、時刻スライダーボタン１３１が更に右方向にスライド操作されると、端末装置１０の表示パネル１２には、図１３に示すように、図１２で説明した状態から、時刻スライダーボタン１３１が、更に右側に移動、すなわち、月食が終了してから所定の時間経過後の時刻情報に対応する位置に移動して、表示されている。
【０１２５】
つまり、端末装置１０は、時刻スライダーボタン１３１のスライド線１３１上の位置に基づく時刻情報に基づき、軌道計算した移動天体１０６等を含む天球画像１００を表示パネル１２に表示する。ここで、時刻情報１３２は、図１２の時刻より進んだ時刻情報として表示される。
【０１２６】
図１３に示す状態では、月食が終わってから所定の時間が経過した状態であるため、移動天体１０６の表示画像や、天体画像１１０に、月の明るい領域部分だけが表示された状態である。
【０１２７】
一方、図１３においては、移動天体１０６の表示画像は、軌道線１２０の他方の端部に位置している。
【０１２８】
以上のように、ユーザによりタッチパネル１３が入力操作され、時刻スライダーボタン１３０がスライド操作されると、スライド線１３１上の時刻スライダーボタンの位置に対応する時刻情報が連続的に更新され、天球画像１００を生成するとともに、移動天体１０６の表示画像と、天体画像１１０を食の状態がわかるように影を付加して表示することで、ユーザにとって食を視覚的に認識してもらうことが可能となる。
【０１２９】
なお、上述では、時刻スライダーボタン１３０のスライド量を、間欠的に図示して説明しているが、時刻スライダーボタン１３０はディスプレイ１２やタッチパネル１３の分解能に応じて限りなく連続的に移動することが可能であることは言うまでもない。時刻スライダーボタン１３０のスライド線１３１の位置に応じて、時刻情報が更新され、移動天体１０６を含む天球画像１００も、直ちに更新されることとなる。
【０１３０】
なお、時刻スライダーボタン１３０を反対側（図中左側）にスライド操作することで、時刻情報も過去方向に戻すことができるが、主な動作は未来方向への変化と逆であるため詳細な説明は割愛する。
【０１３１】
また、時刻スライダーボタン１３０をスライド線１３１上の任意の位置で逆方向にスライド操作してもよいことは言うまでもない。この場合の操作についても、時刻スライダーボタン１３０のスライド線１３１上の位置に対応する時刻情報に対応して、軌道計算等を行い、移動天体１０６の表示画像や天体画像１１０に影を付するようにすればよい。
【０１３２】
［拡大縮小］
端末装置１０は、ユーザのタッチパネル１３への入力操作により、具体的にはタッチパネル１３へのピンチイン／アウト操作によって、天球画像１０を拡大縮小することができるように構成してもよい。
【０１３３】
図示は省略するが、タッチパネル１３へのピンチイン／アウト操作によって、拡大率を所定の範囲で変化させることができる。その範囲は、移動天体１０６の表示画像が天球画像１００上の１点になる縮小する範囲から、例えば、天体画像１１０の大きさに拡大する範囲とする。
【０１３４】
ここで、端末装置１０は、タッチパネル１３へのピンチイン／アウト操作によって、移動天体１０６の表示画像も拡大縮小表示する。天球上の見かけの大きさを揃えるためである。
【０１３５】
しかし、移動天体１０６をあまりに小さく縮小してしまうと、食の状態を適切に表現できない恐れがある。そこで、端末装置１０では、所定の拡大率以下にピンチイン／アウト操作が行われた場合には、移動天体１０６の表示画像のサイズを縮小しないようにサイズを固定するモードを切り替えるようにしている。なお、当然に、天球画像１００の拡大縮小はタッチパネル１３へのピンチイン／アウト操作に基づき変化する。
【０１３６】
すなわち端末装置１０は、移動天体１０６の表示画像のサイズの拡大率を、ユーザのタッチパネル１３へのピンチイン／アウト操作に基づき変更する第１のモードと、固定する第２のモードとを有しており、これらを、拡大率に応じて適宜変更するようにしている。
【０１３７】
なお、本例においてはユーザのタッチパネル１３への入力操作によって、第１のモードと、第２のモードとを適宜選択させるようにしてもよい。
【０１３８】
第２のモードによって移動天体１０６の表示画像のサイズが固定されてしまった場合、天球上に見える移動天体１０６の見かけ上の大きさが実際とは異なってしまうおそれがあり、例えば、見かけ上の大きさよりも大きく表示されてしまうことで、付近の他の惑星、恒星等と接触する食現象が疑似的に表現されてしまうことがある。
【０１３９】
すなわち、実際には食が起きていない状態を誤認させてしまう恐れがあるため、第２のモードを解除し第１のモードに切り替える必要が生ずる可能性がある。
【０１４０】
そこで、ユーザのタッチパネル１３への入力操作によって、第１のモードと、第２のモードとを適宜選択させるようにすることが好ましい。
【０１４１】
なお、端末装置１０は、第２のモード中に移動天体１０６の表示画像と、天球画像１００に描写する他の天体とが接触するか否かを判断して、第１のモードに自動的に切り替えるようにしてもよい。
【０１４２】
これらの、第１のモードと第２のモードの切り替えは、端末装置１０のＣＰＵ５１の演算によって、自動的に切り替えられるようプログラムすることで、実現可能である。
【０１４３】
［プログラム処理］
以上のように、ディスプレイ１２に表示される天球画像１００を中心に端末装置１０の動作を説明したが、具体的な処理プログラムについて、図１４乃至図１６を用いて説明を行う。
【０１４４】
端末装置１０は、上述したようにコンピュータとしての機能を有しており、ＣＰＵ５１が内部メモリ５２または外部メモリ５３から読みだしたプログラムを実行することにより上述の機能を実現することができる。
【０１４５】
［時刻スライダーボタン操作による処理］
移動天体を連続的に変化させて表示する処理について説明する。
【０１４６】
ＣＰＵ５１は、内部メモリ５２または外部メモリ５３から読みだした情報またはサーバ装置３０から受信した情報に基づき、ディスプレイ１２に月食の候補を提示し、ユーザのタッチパネル１３へのタップ操作により、何れか一つの月食を選択する処理を行う。
【０１４７】
つぎに、ＣＰＵ５１は、選択した月食に対応する移動天体１０６の軌道情報を内部メモリ５２または外部メモリ５３から取得する処理を行う。なお、本処理は、ＣＰＵ５１が無線通信部５７を制御してサーバ装置３０から軌道情報を取得する処理に代替することができるものとする。
【０１４８】
つぎに、ＣＰＵ５１は、図１４に示すように、ユーザによる時刻スライダーボタン１３０のスライド操作を受け付け、この情報に基づき時刻情報を更新する処理を行う（Ｓ１０１）。
【０１４９】
つぎに、ＣＰＵ５１は、更新された時刻情報に基づき、移動天体１０６等の各種天体の軌道計算を行う（Ｓ１０２）。
【０１５０】
つぎに、ＣＰＵ５１は、軌道計算の結果より移動天体１０６の食の状態を計算する。具体的には、移動天体１０６の表示画像や天体画像１１０の影の部分を計算する処理を行う（Ｓ１０３）。
【０１５１】
つぎに、ＣＰＵ５１は、計算した食の状態に基づき、移動天体１０６、天体画像１１０を含む天球画像１００を演算によって生成する処理を行う（Ｓ１０４）。
【０１５２】
つぎに、ＣＰＵ５１は、生成した移動天体１０６、天体画像１１０を含む天球画像１００を、ディスプレイ１２に表示する処理を行う（Ｓ１０５）。
【０１５３】
ＣＰＵ５１は、ユーザのタッチパネル１３への時刻スライダーボタン１３０のスライド操作が継続されているか否かを判断し、継続されている場合には、処理をＳ１０１から繰り返す（Ｓ１０６）。また、ＣＰＵ５１は、ユーザのタッチパネル１３への時刻スライダーボタン１３０のスライド操作が継続されているか否かを判断し、継続されていない場合には、処理を終了する（Ｓ１０６）。
【０１５４】
［移動天体の拡大モードの設定処理］
つぎに、移動天体の拡大縮小について規定する処理について説明する。ＣＰＵ５１は、図１５に示すように、現在設定されているモードが第１のモードであるか否かを判断する処理を行う（Ｓ２０１）。ＣＰＵ５１は、第１のモードと判断した場合には、処理をＳ２０２へ進める。ＣＰＵ５１は、第１のモードではないと判断した場合には、処理をＳ２０６へ進める。
【０１５５】
つぎに、ＣＰＵ５１は、第１のモードに基づく、移動天体１０６の表示画像の拡大縮小を許可する処理を行う（Ｓ２０２）。
【０１５６】
つぎに、ＣＰＵ５１は、ユーザによるピンチイン／アウト操作を受け付ける処理を行う（Ｓ２０３）。
【０１５７】
つぎに、ＣＰＵ５１は、ピンチイン／アウト操作に基づき、拡大率を決定し、決定した拡大率に応じて天球画像１００を生成するとともに、表示パネル１２に天球画像１００の表示を行う（Ｓ２０４）。
【０１５８】
つぎに、ＣＰＵ５１は、ピンチイン／アウト操作に基づき、拡大率を決定し、決定した拡大率に応じて移動天体１０６の表示画像を拡大縮小する処理を行う（Ｓ２０５）。
【０１５９】
ここで、Ｓ２０４及びＳ２０５の処理は別処理として記載しているが、拡大率に基づく画像処理演算は１ステップで行うことができるものとする。
【０１６０】
ＣＰＵ５１は、Ｓ２０４及びＳ２０５の処理を終えた後に処理を終了する。
【０１６１】
一方、ＣＰＵ５１は、現在設定されているモードが第２のモードであるか否かを判断する処理を行う（Ｓ２０６）。ＣＰＵ５１は、第２のモードと判断した場合には、処理をＳ２０７へ進める。ＣＰＵ５１は、第２のモードではないと判断した場合には、処理をＳ２１１へ進める。
【０１６２】
ＣＰＵ５１は、第２のモードに基づく、移動天体１０６の表示画像の拡大縮小を禁止する処理を行う（Ｓ２０７）。
【０１６３】
つぎに、ＣＰＵ５１は、ユーザによるピンチイン／アウト操作を受け付ける処理を行う（Ｓ２０８）。
【０１６４】
つぎに、ＣＰＵ５１は、ピンチイン／アウト操作に基づき、拡大率を決定し、決定した拡大率に応じて天球画像１００を生成するとともに、表示パネル１２に天球画像１００の表示を行う（Ｓ２０９）。
【０１６５】
つぎに、ＣＰＵ５１は、ピンチイン／アウト操作に基づき、決定された拡大率によらず、所定のサイズで移動天体１０６の表示画像を生成する処理を行う（Ｓ２１０）。
【０１６６】
ここで、Ｓ２０９及びＳ２１０の処理は別処理として記載しているが、拡大率に基づく画像処理演算は１ステップで行うことができるものとする
【０１６７】
ＣＰＵ５１は、Ｓ２０９及びＳ２１０の処理を終えた後に処理を終了する。
【０１６８】
一方、ＣＰＵ５１は、第１のモード及び第２のモードが設定されていないと判断し、モードの設定を行うように、ディスプレイ１２にモードの設定を促すようにメニュー表示を行う処理をする（Ｓ２１１）。
【０１６９】
［モードの自動切り替え処理］
ユーザの操作によりタッチパネル１３に対してピンチイン／アウト操作をした際に、モードの切り替えを自動的に行う処理について説明する。
【０１７０】
ＣＰＵ５１は、図１６に示すように、ピンチイン／アウト操作に基づきその操作量に応じて、天球画像１００等の拡大率を計算する（Ｓ３０１）。
【０１７１】
つぎに、ＣＰＵ５１は、計算した拡大率が所定値以下であるか否かを判断する処理を行う（Ｓ３０２）。ＣＰＵ５１は、拡大率が所定値以下と判断した場合、処理をＳ３０３に進める。一方、ＣＰＵ５１は、拡大率が所定値を超えると判断した場合、処理をＳ３０４に進める。
【０１７２】
ＣＰＵ５１は、移動天体１０６の表示画像の拡大モードを第２のモードに設定する処理を行う（Ｓ３０３）。すなわち、移動天体１０６の表示画像の表示サイズを固定するモードに変更する。なお、すでに第２のモードに設定されている場合は処理Ｓ３０３を省略するようにしてもよい。そして、ＣＰＵ５１は、処理をＳ３０５へ進める。
【０１７３】
一方、ＣＰＵ５１は、移動天体１０６の表示画像の拡大モードを第１のモードに設定する処理を行う（Ｓ３０４）。すなわち、移動天体１０６の表示画像の表示サイズを拡大率に基づき可変とするモードに変更する。なお、すでに第１のモードに設定されている場合は処理Ｓ３０４を省略するようにしてもよい。そして、ＣＰＵ５１は、処理をＳ３０５へ進める。
【０１７４】
ＣＰＵ５１は、ユーザの操作によりタッチパネル１３に対してピンチイン／アウト操作が継続されているか否かを判断する（Ｓ３０５）。ＣＰＵ５１は、ピンチイン／アウト操作が継続されていると判断した場合に、処理をＳ３０１から繰り返す。一方、ＣＰＵ５１は、ピンチイン／アウト操作が継続されていないと判断した場合に、処理を終了する。
【０１７５】
以上のようにモードの自動切り替え処理は、ピンチイン／アウト操作が継続されている間、常に動作するようになっている。
【０１７６】
以上のように端末装置１０内において、ＣＰＵ５１の処理によって、プログラム処理が実行されることとなるが、図１４乃至図１６のフローチャートで説明をした処理以外にも、上述の表示画面を用いて説明した各処理をプログラムで実行できることは言うまでもない。
【０１７７】
最後に、本発明を望遠鏡システムに適用した場合について、図１７を用いて簡単に説明する。
【０１７８】
望遠鏡システム２００は、図１７に示すように、望遠鏡２０１と、望遠鏡を所定の軸周りに回動可能に保持する赤道義２０２と、赤道義２０２を制御し各種ユーザの入力を受け付けるコンソール端末２０３からなる。
【０１７９】
ここで、本発明の例で説明した端末装置１０を、コンソール端末２０３と兼用もしくは、コンソール端末２０３と有線通信または無線通信で接続し連係動作可能とするようにしてもよい。以下で、端末装置１０とコンソール端末２０３を連携した場合の効果について説明する。
【０１８０】
例えば、ユーザが、端末装置１０において、移動天体１０６が今見ることが可能であると判断した場合に、ディスプレイ１２に表示された天球画像に基づき、望遠鏡２０１を移動天体１０６を中心とする方向へ移動させるべく、赤道義２０２をコントロールする。このような動作をすることで、端末装置１０で、簡単に移動天体１０６を見つけるだけでなく、望遠鏡２０１を簡単に移動天体２０６に合わせこむことが可能となり、ユーザの利便性が向上する。
【０１８１】
以上、本発明の例をもとに説明した。本発明は上述した実施例並びに各実施例の内容に限定されるものではなく、本発明の要旨の範囲内において種々に変形して実施をすることが可能である。上記実施例は例示であり、それらの各構成要素や各処理プロセスの組み合わせにいろいろな変形例が可能なこと、またそうした変形例も本発明の範囲にあることは当業者に理解されるところである。
【符号の説明】
【０１８２】
１０  端末装置、
１０ａ，１０ｂ，１０ｃ  端末装置、
１１  筐体、
１２  ディスプレイ、
１３  タッチパネル、
１４  ハードウェアキー、
１５  カメラ、
２０  ネットワーク、
３０  サーバ装置、
５１  ＣＰＵ、
５２  内部メモリ、
５３  外部メモリ、
５４  方位センサ、
５５  ＧＰＳセンサ、
５６  加速度センサ、
５７  無線通信部、
１００  天球画像、
１０１  地平線、
１０２  方位、
１０３  赤経線、
１０４  赤緯線、
１０５  方位補助画像、
１０６  移動天体、
１０７  星座線、
１０９  方位補助画像、
１１０  天体画像、
１１５  食情報ウィンドウ、
１２０  軌道線、
１２１  食中軌道線、
１３０  時刻スライダーボタン、
１３１  スライダー線、
１３２  時刻情報、
１４０  移動天体アイコン、
１４１  イベント設定メニュー、
１４２  チェックマーク、
１４３  終了メニュー、
１４５  観測地設定アイコン、
１５０  メニューボタン、
１６０  観測地設定画面、
１６１  地図情報、
１６２  設定コンソール、
１６３  タイムゾーン、
１６４  観測地名称、
１６５  追加ボタン、
１６６  選択ボタン、
１６７  削除ボタン、
１６８  変更ボタン、
１６９  現在地ボタン、
１７０  決定ボタン、
１７１  戻るボタン、
１７２  マーカーピン、
２００  望遠鏡システム、
２０１  望遠鏡、
２０２  赤道義、
２０３  コンソール端末
【図１】
2016038401.tif 000003
【図２】
2016038401.tif 000004
【図３】
2016038401.tif 000005
【図４】
2016038401.tif 000006
【図５】
2016038401.tif 000007
【図６】
2016038401.tif 000008
【図７】
2016038401.tif 000009
【図８】
2016038401.tif 000010
【図９】
2016038401.tif 000011
【図１０】
2016038401.tif 000012
【図１１】
2016038401.tif 000013
【図１２】
2016038401.tif 000014
【図１３】
2016038401.tif 000015
【図１４】
2016038401.tif 000016
【図１５】
2016038401.tif 000017
【図１６】
2016038401.tif 000018
【図１７】
2016038401.tif 000019